Podtech/llm-jp-corpus-v4-ja_patent huggingface dataset:
(57)【要約】      （修正有）【課題】乾燥時間を短縮できる長袖衣料用ハンガーを提供する。【解決手段】吊り下げフック部５の根元に折り畳み回転部１を設けるとともに、長袖衣類相当の長さまで長くされた袖部３の中央部にも折り畳み回転部２を設けた構成とし、袖部が折れ曲がるようにして、重ねた袖部の２個所の先端から長袖衣類の首部分を挿入することにより、長袖衣類を容易に取り付けられるようにした長袖衣類を取り付け後、ハンガー袖部を伸長すれば、袖部分が下に垂れ下がることなく、乾燥時間を短縮できる。【選択図】図１
0003206512.tif 000002
【実用新案登録請求の範囲】
【請求項１】
ハンガーの袖部を伸長し、長袖の衣類において、袖の脇の下部分が乾燥しやすくしたところを特徴とする長袖衣料用ハンガー。袖部を伸ばすと衣類を取り付けることができないので、中折れ構造とし、袖部が折れ曲がるようにして、重ねた袖部の２個所の先端から長袖衣類の首部分を挿入することにより、長袖衣類を容易に取り付けられるようにした。
【考案の詳細な説明】
【技術分野】
【０００１】
本考案は、長袖衣料を干すのに適した、ハンガーに関するものである。
【背景技術】
【０００２】
これまでの通常のハンガーでは、長袖の衣料を干した場合、袖が垂れ下がり、脇の下部分の渇きが、他の個所の比べ遅く、Tシャツ等半袖の衣料に比べ、乾燥時間が長くかかった。
【先行技術文献】
【特許文献】
【０００３】
【特許文献１】特開2007-050207衣料用伸縮ハンガーの袖部機構において、袖部を先端方向にスライドでき、肩幅を調整できる構造を備えるが、長袖には長さが不足している。
【非特許文献】
【０００４】
【非特許文献１】図６のように、下方向に中折れ構造を有するハンガーは販売されているが、これは、衣類の首部分の挿入をし易くするためのものであり、袖部は従来ハンガーと同様の長さで、長袖衣類の袖の長さよりも短く、長袖衣類の乾燥時間短縮には寄与しない。
【考案の概要】
【考案が解決しようとする課題】
【０００５】
図３のように、衣類の乾燥において、他の個所が乾いていても、袖の脇の下部分のみが乾いていないと、まだ、乾燥を続けなければならない。したがって、ハンガーの形状を長袖に適した形状にすることによって、前述の欠点を解決しようとするものである。
【課題を解決するための手段】
【０００６】
図４のように、ハンガーの袖部分を長く伸ばし、衣料の長袖部分が下に垂れ下がることなく、横に開くようにし、脇の下部分を乾燥しやすくした。ただし、従来のハンガー構造のまま袖部分を長く伸ばしたのみでは、長袖衣類の首部分の制約で、ハンガーに装着することができない。そこで、図２のように、ハンガーを中折れ構造とし、その袖部先端２か所に長袖衣類の首部分を挿入することにより、長袖衣類の首部分を伸ばすことなく、ハンガーに、取り付けることができるようにした。
【考案の効果】
【０００７】
ハンガーを中折れ構造にすることにより、長袖衣料の首部分を容易に通すことができ、長袖衣料の脇の下部分も他の個所と同等の時間で乾燥させることができ、全体として、乾燥時間を短縮することができるようになった。
【図面の簡単な説明】
【０００８】
【図１】本考案の長袖衣料用ハンガーの実施例を示す図である。
【図２】本考案のハンガーを折りたたんだ状態である。
【図３】従来のハンガーに長袖衣料を干した例を示す図である。
【図４】本考案のハンガーに長袖衣料を干した例を示す図である。
【図５】本考案の長袖衣料用ハンガーの実施例の２例目を示す図である。
【図６】本考案の長袖衣料用ハンガーの実施例の３例目を示す図である。
【図７】本考案の長袖衣料用ハンガーの実施例の４例目を示す図である。
【考案を実施するための形態】
【０００９】
ハンガー袖部を長袖衣類相当の長さまで長くし、中央部上下を折り畳み回転部とし、ハンガーが中折れする構造となっている。
【実施例】
【００１０】
以下、添付図面に従って一実施例を説明する。本ハンガーは、図１のように、折り畳み回転部（上部）１、折り畳み回転部（下部）２、袖部３、袖部４および吊り下げフック部５とから構成される。長袖衣類を取り付ける際には、図２のように、袖部３と袖部４を、折り畳み回転部（上部）１と折り畳み回転部（下部）２を中心に、折り畳み、袖部３・袖部４を重ねた状態で、袖部３・袖部４の先端部から衣類の首穴部分を挿入する。干すときには、図１のようにして、袖部３と袖部４を、折り畳み回転部（上部）１と折り畳み回転部（下部）２を中心に広げる。実施例には図１の他、図５のように、折り畳み回転部（上部）１が１個所のもの、あるいは、図６のように下方向に折りたたむもの、あるいは、図７のように袖部３・袖部４のいずれかを固定とし、一方の袖部のみを折り畳み式にしたものも掲げられる。
【産業上の利用可能性】
【００１１】
長袖セーターや、長袖トレーナーなど、長袖衣料全般の乾燥時間の短縮に有効
【符号の説明】
【００１２】
１  折り畳み回転部（上部）
２  折り畳み回転部（下部）
３  袖部
４  袖部
５  吊り下げフック部
【図１】
0003206512.tif 000003
【図２】
0003206512.tif 000004
【図３】
0003206512.tif 000005
【図４】
0003206512.tif 000006
【図５】
0003206512.tif 000007
【図６】
0003206512.tif 000008
【図７】
0003206512.tif 000009
【手続補正書】
【提出日】平成28年7月27日(2016.7.27)
【手続補正１】
【補正対象書類名】実用新案登録請求の範囲
【補正対象項目名】全文
【補正方法】変更
【補正の内容】
【実用新案登録請求の範囲】
【請求項１】
吊り下げフック部の根元に折り畳み回転部を設けるとともに、
長袖衣類相当の長さまで長くされた袖部の中央部にも折り畳み
回転部を設けた構成とし、袖部が折れ曲がるようにして、重ねた
袖部の２個所の先端から長袖衣類の首部分を挿入することによ
り、長袖衣類を容易に取り付けられるようにしたことを特徴と
する長袖衣類用ハンガー。
(57)【要約】      （修正有）【課題】漏れがなく汗を気化させることができるインナー服を提供する。【解決手段】空気の漏れにくい生地でインナー服１を作り上衣の中に着る。着脱を容易にするために前面にファスナー５を取り付ける。インナー服１の下部から空気が逃げないようにゴム紐６を取り付け、長さが調節できるようにコードストッパー７を取り付ける。インナー服１の内側に襟パット２、肩部パット３、背部パットを張り付け、体とインナー服１との間に間隙をつくる。【選択図】図１
0003206518.tif 000002
【実用新案登録請求の範囲】
【請求項１】
上衣の中に着用し、内部に外気が取り込まれるインナー服であって、冷却用のファンが取り付けられる取り付け部と、肩、背中、襟周りに取り付けられ袖と襟回りから内部の空気を排出するパットを備えることを特徴とするインナー服。
【請求項２】
インナー服の前部に脱着を容易にするためのファスナーを備えることを特徴とする請求項１に記載のインナー服。
【請求項３】
インナー服の下部にはファンから取り入れた外気の漏れを防止するための締め付けゴムを備えることを特徴とする請求項１に記載のインナー服。
【請求項４】
前記パットは、体との接触部が凹凸に形成されていることを特徴とする請求項１または請求項２に記載のインナー服。
【考案の詳細な説明】
【技術分野】
【０００１】  本考案は、上衣を空調服にするインナー服に関する。
【背景技術】
【０００２】  空調服は、ファン付き作業服とも呼ばれ、服に付いた小型ファンが扇風機のように回り服の中に外気を取り入れ、体の表面に風を流すことにより汗が蒸発し、その際に発生する気化熱で体温を下げる。服の中を通った空気は、襟元と袖口から排出され涼しく快適な環境を作る仕組みの服として供されている。
【考案の概要】
【考案が解決しようとする課題】
【０００３】  しかしながら、従来の上衣は、空気が漏れやすい生地で作られており各部に開口部が設けられている。そのため空調服のように上衣にファンを取り付けて外気を送っても、襟元や袖口以外の箇所から空気が漏れ、汗を気化させることができない欠点がある。そこで漏れがなく汗を気化させることができるインナー服を提供することを課題とする。
【課題を解決するための手段】
【０００４】  この改善策として、空気の漏れにくい生地でインナー服を作り上衣の中に着る。着脱を容易にするために前面にファスナーを取り付ける。インナー服の下部から空気が逃げないようにゴムを取り付け、長さが調節できるようにコードストッパーを取り付ける。インナー服の内側に襟パット、肩部パット、背部パットを張り付け、体とインナー服との間に間隙をつくる。これらを具備することにより上記課題を解決するものである。
【考案の効果】
【０００５】  本考案のインナー服を、空気の漏れにくい生地でつくり上衣の中に着用することにより多種多様な上衣に提供される。前面にファスナーを取り付け、下部を締め付けることによりファンから取り入れた外気を襟元や袖口から効率よく排出し、気化熱で体温を下げる空調服と同じ効果をもたらすことができる実用性に優れたものである。
【図面の簡単な説明】
【０００６】
【図１】インナー服の正面図である。
【図２】インナー服の背面図である。
【図３】インナー服の襟周りに取り付けた襟パットの図である。
【図４】インナー服の肩部に取り付けた肩部パットの図である。
【図５】インナー服の背中に取り付けた背部パットの図である。
【図６】インナー服を上衣の中に取り付けた正面図である。
【図７】インナー服を上衣の中に取り付けた背面図である。
【考案を実施するための形態】
【０００７】  インナー服を図１の１の形状に、合成繊維を加工して上衣と同等の大きさに作る。袖の長さは上衣の七分目の長さにする。インナー服の前面にはファスナー５を取り付け着脱が容易に行えるようにする。インナー服の下部は袋状に縫製してゴム紐６を通し長さが調整できるようにコードストッパー７を取り付ける。
【０００８】  図２は背面図で、背部にファン用の穴８を２箇所開ける。図３の２は襟周りに取り付ける襟パットで図１の２の箇所にボンドで張り付ける。図４の３は肩部パットで図１、図２の３の位置に４箇所ボンドで張り付ける。図５の４は背部パットで図２の４の位置に２箇所ボンドで張り付ける。それぞれのパットは、凹凸状に成形し空気の流動を促す形状にする。
【０００９】  図６は、インナー服を上衣に取り付けた状態の正面図。図７は、インナー服を上衣に取り付けた状態の背面図で、ファン取り付け穴８は、上衣のファン取り付け穴と同じ位置に重なるように穴を開ける。
【符号の説明】
【００１０】    １  インナー服
２  襟パット
３  肩部パット
４  背部パット
５  ファスナー
６  ゴム紐
７  コードストッパー
８  ファン取り付け穴
９  上衣
【図１】
0003206518.tif 000003
【図２】
0003206518.tif 000004
【図３】
0003206518.tif 000005
【図４】
0003206518.tif 000006
【図５】
0003206518.tif 000007
【図６】
0003206518.tif 000008
【図７】
0003206518.tif 000009
(57)【要約】      （修正有）【課題】球種を覚えるのにボールのどの位置を握れば良いのかをわかりやすく表示したボールおよびボールケースを提供する。【解決手段】各球種の握った時の指手の位置が絵や写真でボールに書かれている。また、ボールを収納するケースの四面表面に各サイドから各球種のボールを握った時の図が表示付けされている。球種を覚える時、練習投球をするときは、ボールに描き表された指手の位置図の上に指手を重ね置き、ボールを握りボールの手の振りだしマークに沿って、ボールを投げて球種を覚える。【選択図】図１
0003206549.tif 000002
【実用新案登録請求の範囲】
【請求項１】
各球種の握った時の指手の位置をボールに書き（絵、写真）、書かれた指手の上に自分の指手を重ねボールを持つことで各球種のボール持ち方が分かるようにしたボール。
【請求項２】
ボールを収納するケースの四面表面に各サイドから各球種のボールを握った時の図が表示付けされていることで、ケースからボールの握り方が分かるようにしたボールケース。
【考案の詳細な説明】
【技術分野】
【０００１】
この考案は、投手の各球種のボールの握り方をボールに描きボール上に描かれたて指の上に指手を重ねボールお握り、手を→方向振り切り投げ、投手が楽にボールの各球種の握り方投げ方を覚えられるようにした野球、ソフトボールのボールに関するものである。
【背景技術】
【０００２】
従来、投手がなげている球種の覚えるには、人から教えてもらったり写真をみたりしてボールの握り方を覚え投げていた。時には間違ったボール握り方を教えられることもあった。
【考案の概要】
【考案が解決しようとする課題】
【０００３】
そのために次のような問題点があった。間違ったボールの握り方を教わったりして、その球種を投げられなかつたり、おかしなボールの握り方で指手を傷めたりすることがあった。
【課題を解決するための手段】
【０００４】
投手の握るボールの指手の位置に球種の指手の形をボールに描き、その描かれた指手の上に投手の指手を合わせ重ねボールの握り方を覚え、手をボール上に表示された投げだす方向を示す→の方へ手を振り抜けば、球種がどのようにして握りどの様に手を振りだせばボールがどのように変化して捕手まで届くかがわかる。本考案のボールには、投手の球種のボールの握りの形の指手が描かれているので、ボールに描かれた指の上に指を合わせ重ねボールお握り手を投げだす方向を示す→方に手を振りだせばよいので球種を覚える事が簡単にできる。又ボールを収納するケースにはボールを握った時の図５図上部図、６図薬指側からの側部図、７図正面図、８図親指側からの側部図が写真や絵が描かれているのでケースだけでもボールの握り方がわかる。
【考案の効果】
【０００５】
球種を覚えるには人から聞いたり、教わったりしていたのでいろいろな情報が入ってきて迷うこともあった。本考案は覚えたい球種のボールの握り方をボールのどの部分をどの様に、指手で握り投げれば良いのかをボールに各球種を握った時の指手を表記し、ボールを握った様に表記されている指手の上に、自分の指手を合わせ重ねボールを握り、各球種の握り方を覚える。又投球する時は、ボール上に書かれた手を振りだす方向を示す→（矢印）の方向に手を振りだせば投球練習もできる。ボールを納めるケースにはボールを握った各球種の絵や写真などで上部、薬指側、正面、親指側四方から表記されているのでケースだけでも球種のボールの握り方が分かる。
【図面の簡単な説明】
【０００６】
【図１】本考案のボールの上に表記された指手図を上から見たボール上部図
【図２】本考案のボールの上に表記された指手図を薬指側から見たボール側部図
【図３】本考案のボールの上に表記された指手図を正面から見たボール正面図
【図４】本考案のボールの上に表記された指手図を親指側から見たボール側部図
【図５】本考案のケースに表記された球種の指手でボールを握っている上部図
【図６】本考案のケースに表記された球種の指手で薬指側ボールを握っている側部図
【図７】本考案のケースに表記された球種の指手で正面からボールを握っている正面図
【図８】本考案のケースに表記された球種の親指側からボールを握っている側部図
【図９】本考案のボールを握った指手（例絵、写真などで）をボールケース四面に各位置から見たボールの握り方を表示したケース。
【考案を実施するための形態】
【０００７】
以下本考案の実地の形態について説明する。
図１について説明する。ボール７を握り球種を投げる時の指手のボール７の握り方の人差し指２、中指３の位置をボール上にあらわした上部図
図２について説明する。ボールを握り球種を、投げる時の指手のボールの握り方の中指３、薬指４、小指５の位置をボール上にあらわした薬指４側から見た側部図
図３について説明する。ボールを握り球種を、投げる時の指手のボールの握り方の親指１、人差し指２、中指３、薬指４、小指５のボール上にあらわした正面から見た正面図
図４について説明する。ボールを握り球種を、指６手のボールの握り方の親指、人差し指、のボール上にあらわした親指側から見た側部図
図５は本考案のケース８に表記された球種を投げる時のボールの握り方（手指のボール上の位置）をケース上にあらわした上部図
図６は本考案のケース８に表記された球種の指手で投げる時の指、手のボールの握り方中指、薬指、小指の位置を薬指側からあらわした薬指側からの側部図
図７は本考案の８ケースに表記された球種の指６手でボール握り方１親指、２人差し指、３中指、４薬指、５小指の位置を７ボールに正面からあらわした正面図
図８は本考案のケース８に表記された球種の指６手で投げる時の指６手の７ボールの握り方１親指、２人差し指、６手の位置を１親指側からあらわした１親指側からの    側部図
図９は四面に球種を握った指手が表示されている野球、ソフトボールのケース
【符号の説明】
【０００８】
１  親指
２  人差し指
３  中指  
４  薬指
５  小指
６  手
７  ボール
８  ケース
９  方向を示す→マーク
【図１】
0003206549.tif 000003
【図２】
0003206549.tif 000004
【図３】
0003206549.tif 000005
【図４】
0003206549.tif 000006
【図５】
0003206549.tif 000007
【図６】
0003206549.tif 000008
【図７】
0003206549.tif 000009
【図８】
0003206549.tif 000010
【図９】
0003206549.tif 000011
(57)【要約】      （修正有）【課題】構造がシンプルでかつ安価な解締不能なボルト・ナットを提供する。【解決手段】ボルトの頭部１１は円錐台形となっており、円錐台形の先端平面１３に凹設され特定画数のレンチが嵌り込む角レンチ孔が設けられる。ナット２０は、ボルトの頭部と同じ形状となっており、ボルトが螺合できるようになっている。角レンチ孔には詰部材３０が埋め込まれ、詰部材は、円柱状の軸３１とその後端の傘状の蓋３２とよりなり、軸の先端部が角レンチ穴に内接嵌合し、基端部が角レンチ穴より僅かに大きい径であり、傘状の蓋の軸の基端部に対応する部分の径が円錐台形の上面の径と符合し、先端に行くに従って円錐状にかつなだらかに小さくなっている。【選択図】図１
0003206548.tif 000002
【実用新案登録請求の範囲】
【請求項１】
円錐台形の頭部を備えたボルトと、
前記円錐台の先端平面に凹設した特定画数の角レンチ穴と、
前記ボルトの頭部と同じ形状であって、前記ボルトが螺合するナットと、
円柱状の軸とその後端の傘状の蓋とよりなり、軸の先端部が前記角レンチ穴に内接嵌合し、基端部が角レンチ穴より僅かに大きい径であり、傘状の蓋の前記軸の基端部に対応する部分の径が前記円錐台の上面の径と符合し、先端に行くに従って円錐状にかつなだらかに小さくなる詰め部材と
よりなるボルト・ナット。
【考案の詳細な説明】
【技術分野】
【０００１】
本考案はボルト・ナットに関し、特に、解締を不能にしたボルト・ナットに関するものである。
【背景技術】
【０００２】
管理者以外の者がみだりに侵入してはいけない建造物の周囲には、支柱に金網がボルト・ナットで固定されたフェンスが構築されている。あるいは、鉄道線路のように、外部に露出した構造物であっても、管理者以外の者がボルトを外したりすると、事故が発生する恐れがある。
【０００３】
従来から、機密性の高い、あるいは危険性の高い建造物に第三者がフェンスのボルト・ナットを外して侵入しないように、あるいは、鉄道線路を固定するボルト・ナットが第三者によって外されないように、該当する構造物のボルト・ナットを外せないようにする構成が種々提案されている。
【０００４】
例えば、特開２０００−８１０１９では、固着用のナットの先端から更にストッパー用のナットを螺着し、その外側に更にカバー筒体を被せ、ストッパー用のナットを所定以上の力で締め付けると、脆弱部が破断し、カバー筒体が空回りするようになっている。
【０００５】
また特開２０００−１２０６４６では、固着用のナットに大径スリーブを被せる。当該大径スリーブの先端には小径スリーブが設けられ、更に、当該小径スリーブの外周にリング部材が嵌められる。当該リング部材は、連結部材で大径スリーブと連結されている。リング部材を工具で所定以上の力で締め付けると、前記連結部材が破談し、それ以降は空回りするようになっている。
【先行技術文献】
【特許文献】
【０００６】
【特許文献１】特開２０００−８１０１９号公報
【特許文献２】特開２０００−１２０６４６号公報
【考案の概要】
【考案が解決しようとする課題】
【０００７】
上記のようにカバー筒体、あるいはスリーブを被せて、脆弱部あるいは連結部を破談する構成では、部品点数が多くかつ構造も複雑になり、コスト高となる。
【０００８】
本発明は上記従来の構造がシンプルでかつ安価な解締不能なボルト・ナットを提供することを目的とする。
【課題を解決するための手段】
【０００９】
本発明は上記目的を達成するために以下の手段を採用している。
【００１０】
ボルトの頭部は円錐台形となっており、当該円錐台の先端平面に凹設した特定画数のレンチが嵌り込む角レンチ孔が設けられる。これに対してナットは、前記ボルトの頭部と同じ形状となっており、もちろん前記ボルトが螺合できるようになっている。前記レンチ孔には詰部材が埋め込まれるが、当該詰部材は、円柱状の軸とその後端の傘状の蓋とよりなり、軸の先端部が前記角レンチ穴に内接嵌合し、基端部が角レンチ穴より僅かに大きい径であり、傘状の蓋の前記軸の基端部に対応する部分の径が前記円錐台の上面の径と符合し、先端に行くに従って円錐状にかつなだらかに小さくなる。
【考案の効果】
【００１１】
上記構成により、ボルトの頭およびナットは円形であるので、にスパナを装着栖余地はなく、かつ、レンチ穴が詰部材で塞がれるので、管理者以外の第三者によって、ボルトとナットの螺合が外されるおそれは全くなくなる。
【図面の簡単な説明】
【００１２】
【図１】本考案の分解斜視図である。
【図２】主要部の斜視図である。
【考案を実施するための形態】
【００１３】
ボルト１０の頭部１１は円錐台形とし、当該頭部１１の台形の先端平面１３には、所定角のレンチを嵌め込むレンチ穴１２が設けられる。このレンチ穴１２の画数は、一般に使用される六角レンチに対応する画数でもよいが、一般には市販されていない例えば５角のレンチに対応する穴とするのが好ましい。
【００１４】
一方、ナット２０の形状も前記、ボルト１０の頭部１１の形状と同じにし、もちろん、前記ボルト１０が螺合する構造とする。
【００１５】
以下に説明するように、前記レンチ穴１２は当該ボルト・ナットが所定の部位に締着された後に詰部材３０で埋めるようになっている。その詰部材３０は、円柱状の軸３１とその後端の傘状の蓋３２とよりなり、図２に示すように、軸３１の先端部が前記角レンチ穴１２に内接嵌合し、基端部が角レンチ穴１２より僅かに大きい径であり、傘状の蓋３２の前記軸の基端部に対応する部分の径が前記円錐台の先端平面１３の径と符合し、先端に行くに従って円錐状になだらかに小さくなる形状となっている。従って当該詰部材の、先端は尖っているわけではなくドーム状になっている。
【００１６】
以上の形状よりなるボルト、ナット及び詰部材を用意しておき、先ず、ボルト１０に対してナット２０を所定の部位に締め付けて施工する。その後、前記詰部材３０の先端を角レンチ穴１２に差し込むようにすると、先端が僅かにレンチ穴１２に入る状態になるので、この状態でハンマー等で詰部材３０の後端を角レンチ穴１２に叩き込む。これによって、角レンチ穴１２に詰部材３０が埋められる。このとき、詰部材３０の傘部３２の下面とボルトの円錐台の先端平面１３の径が同じであるので、ボルトの頭部と詰部材３０は形状的に連続性を持つことになり、しかも、前記頭部１１も詰部材３０も曲面だけで構成されているので、全体に引っかかりのない状態となる。これにより、悪意で当該部位を壊そうとしてもとともに、通常の第三者が持つ工具は使用は全く使用できなくなる。
【００１７】
例えば、発電施設等のフェンスをこのようなボルト・ナットを使用して組み立てると、第三者は全く侵入不能となる。
【産業上の利用可能性】
【００１８】
以上説明しように、本考案はボルト・ナットを締めた後、レンチ穴を塞ぐようになっており、しかも、ボルトの頭部とナットは円錐台になっているので、締を外すための工具が全く使用できないので、社会インフラの重要設備のように、機密性の高い建造物のフェンス等に使用することができる。
【符号の説明】
【００１９】
１０  ボルト
１１  頭部
１２  レンチ穴
１３  台形の先端平面
２０  ナット
３０  詰部材
３１  軸
３２  傘状の蓋
【図１】
0003206548.tif 000003
【図２】
0003206548.tif 000004
(57)【要約】      （修正有）【課題】手から離しても、下に落とすことを防ぐ杖を提供する。【解決手段】杖に腰のベルトにはめるスプリングを取り付ける事により、手から離しても落下しない。【選択図】図１
0003206342.tif 000002
【実用新案登録請求の範囲】
【請求項１】
杖を手から離しても落とさない為に、腰のベルトにはめるスプリング付きの機能である。
【考案の詳細な説明】
【技術分野】
【０００１】本案は上記のごとくして、杖を手から離して落とすのを防ぐ為の、腰のベルトにはめるスプリング付きの考案である。
【考案の概要】
【考案が解決しようとする課題】
【０００２】本案は、従来の杖は手から離して下に落とす事であったが、常時手に持つのが困難であった。
【課題を解決しようとする手段】
【０００３】本案は、杖を手から離しても、腰のベルトにはめてるスプリング付き機能の為に、下に落とさないようにする考案である。
【考案の効果】
【０００４】本案は、杖を手から離しても落下させない為に、腰のベルトに付着するスプリング機能により杖を手から離しても、落下させないので、その益する所甚だ大である。
【図面の簡単な説明】
【０００５】
【図１】  スプリング付き杖の外観図
【図２】  スプリング付き杖の装着部分
【符号の説明】
【０００６】１．スプリング付き杖
２．スプリング付き杖の装着部分
【図１】
0003206342.tif 000003
【図２】
0003206342.tif 000004
【手続補正書】
【提出日】平成28年5月26日(2016.5.26)
【手続補正１】
【補正対象書類名】実用新案登録請求の範囲
【補正対象項目名】全文
【補正方法】変更
【補正の内容】
【実用新案登録請求の範囲】
【請求項１】
杖を手から離しても落とさない為に、腰のベルトにはめるスプリングを取り付けたことを特徴とする杖。
(57)【要約】      （修正有）【課題】人（主に高齢者）が小便をするとき、容易に前開き部の場所を探すことができるパンツを提供する。【解決手段】前開き部にパンツの布地とは異なる材質からなる補助具２、４を埋め込むことで、手を前開き部の入り口に入れた際、指に触れることですぐに場所がわかるようにした。【選択図】図１
0003206349.tif 000002
【実用新案登録請求の範囲】
【請求項１】
前開き部にパンツの布地とは異なる材質であって、当該前開き部の全長に対して３０％以上に補助具を付けることで、使用時において、当該前開き部を探す際に手に当該前開き部入口の感触を得ることを特徴とするパンツ
【請求項２】
請求項１において、前記補助具の材質が金属又は樹脂であることを特徴とするパンツ。
【請求項３】
請求項１及び請求項２において、前記補助具は形状をチェーン又はひも状としたことを特徴とするパンツ。
【考案の詳細な説明】
【技術分野】
【０００１】この発明は前開き部を探す際の補助具として前開き部に触れた際に感触を感じるチェーンのような補助具を縫い付けたり接着したりしたりしたパンツに関するものである。
【背景技術】
【０００２】人（主に高齢者）が小便をするとき従来のパンツ（トランクス、ブリーフ）は、前開き部に手を入れようとしても場所がわかりにくいことがあり探すのに時間がかかり不便であった。
【考案の概要】
【考案が解決しようとする課題】
【０００３】本発明はその欠点をなくすため、簡単で短時間に前開き部の場所を探すことができるパンツの探求を行なった。
【課題を解決するための手段】
【０００４】前開き部にパンツの布地とは異なる材質であって、当該前開き部の全長に対して３０％以上に補助具を付けることで、使用時において、当該前開き部を探す際に手に当該前開き部入口の感触を得ることを特徴とするパンツ。または、前記補助具の材質が金属又は樹脂であることを特徴とするパンツ。または、前記補助具は形状をチェーン又はひも状としたことを特徴とするパンツ。
【考案の効果】
【０００５】パンツの前開き部に補助具を埋め込むことで手に感触を感じ、何もない状態に比べて画期的に簡単で短時間に前開き部が探し出せるようになった。短時間で確実に前開き部を探し出せるため補助具をつけない場合に比べ画期的に尿漏れ失禁などの発生を防止することができた。尿漏れパッド又は尿漏れパンツ及びおむつを使用しないために開発したパンツである。
【図面の簡単な説明】
【０００６】
【図１】本考案に係るパンツの正面図
【考案を実施するための形態】
【０００７】本考案の説明を図１に基づいて行う。
パンツの前開き部は、前開き部重なり上部１と前開き部重なり下部３から成る。次に、前開き部重なり上部の裏面に補助部２を設置し、かつ前開き部重なり下部の表面に補助具４を設置する。
当該補助具は、パンツの布地とは異なる材質であって、当該前開き部の全長に対３０％以上に設ける。当該補助具の材質は具体的には金属又は樹脂が望ましい、樹脂は例えばシリコンであってもよい。
次に当該補助具の形状はチェーン又はひも状がよい。
また、補助具の設置位置は、前述の位置に限らず、前開き部の周辺であればよい。
このようにすることによりパンツの前開き部に補助具を埋め込むことで手に感触を感じ、何もない状態に比べて画期的に簡単で短時間に前開き部が探し出せるようになった。短時間で確実に前開き部を探し出せるため補助具をつけない場合に比べ画期的に尿漏れ失禁などの発生を防止することができた。
【符号の説明】１  前開き部重なり上部
２  前開き部重なり上部の裏面に補助具
３  前開き部重なり下部
４  前開き部重なり下部の表面に補助具
【図１】
0003206349.tif 000003
【手続補正書】
【提出日】平成28年6月22日(2016.6.22)
【手続補正１】
【補正対象書類名】実用新案登録請求の範囲
【補正対象項目名】全文
【補正方法】変更
【補正の内容】
【実用新案登録請求の範囲】
【請求項１】
前開き部にパンツの布地とは異なる材質であって、当該前開き部の全長に対して３０％以上に補助具を付けることで、使用時において、当該前開き部を探す際に手に当該前開き部入口の感触を得ることを特徴とするパンツ。
【請求項２】
請求項１に記載のパンツにおいて、前記補助具の材質が金属又は樹脂であることを特徴とするパンツ。
【請求項３】
請求項１または２に記載のパンツにおいて、前記補助具は形状をチェーン又はひも状としたことを特徴とするパンツ。
(57)【要約】      （修正有）【課題】乳幼児の親などが腰ベルトで支えるタイプの子守帯を使用して外出する際に、携帯品を素早く取り出せる子守帯用吊り下げ小物入れを提供する。【解決手段】長さ調節可能なベルト状のフックベルト３の一側の先端に差し込み式の雄型バックル４を設け、フックベルト３の他側の先端に差し込み式の雌型バックル５を設けた。また、小物入れ本体２の上端に開口部が形成され、この開口部を形成する一対の縁部にそれぞれ引き剥がし可能に付着できる面ファスナー６、７を取りつけている。【選択図】図１
0003206348.tif 000002
【実用新案登録請求の範囲】
【請求項１】
ベルト状であるフックベルト（３）の一側の先端に差し込み式の雄型バックル（４を設け、フックベルト（３）の他側の先端に差し込み式の雌型バックル（５）を設けた。この着脱式バックルにより長さ調節可能なフックベルト（３）を有することを特徴とする子守帯用吊り下げ小物入れ。
【請求項２】
小物入れ本体（２）の上端に開口部が形成され、この開口部を形成する一対の縁部にそれぞれ引き剥がし可能に付着できる面ファスナー（６）（７）を取りつけている、請求項１に記載の子守帯用吊り下げ小物入れ。
【考案の詳細な説明】
【技術分野】
【０００１】  本考案は、乳幼児の親が腰ベルトで支えるタイプの子守帯を使用した際に携帯品を入れた手提げのバッグで片手または手荷物で両手が塞がる不都合を解消し携帯品を取り出しやすく収納するための小物入れに関するものであり、詳しくは子守帯の腰ベルトに吊り下げて使用する小物入れに関するものである。
【背景技術】
【０００２】  腰ベルトで支えるタイプの子守帯は抱っこまたはおんぶした子供の重量を分散させるため特に肩ベルトと腰ベルトの幅が太く従来、その腰ベルトに装着できる小物入れは無かった。また子守帯を使用する際には財布や携帯電話などを手提げのバッグやリュックサックまたはショルダーバッグに入れて持ち歩くことが多い。
【考案の概要】
【考案が解決しようとする課題】
【０００３】  上記のように子守帯を用いて外出する際に手提げのバッグを持ち歩いた場合、少なくとも一方の手が塞がり両手を使う作業の支障となる場合がある。【０００４】  また子守帯により子供を抱っこしている状態では左右の手がバッグに同時に届きづらくファスナーの開閉などが両手を使って自由に出来ないことが多い。【０００５】  またリュックサックでは携帯品を出そうとする度に背中から下ろさなければならず手間と時間がかかった。【０００６】  ショルダーバッグでは子守帯を装着することで既に両肩に子守帯の幅広い肩ベルトがあるためショルダーバッグの肩ベルトが安定せず煩わしい。またひったくりに対する防犯性に乏しい。【０００７】  なお、取り出しやすく携帯品を収める小物入れとしてウェストバッグが既に提案されているが子守帯の腰ベルトがあることによりウェストバッグとの二重装着は難しい。【０００８】  本考案は、上記の不都合を解消することを課題とし、この課題を解決した子守帯用吊り下げ小物入れを提供することを目的とする。
【課題を解決するための手段】
【０００９】  本考案の請求項１に記載の子守帯用吊り下げ小物入れは、子守帯の腰ベルトに吊り下げて使用される子守帯用吊り下げ小物入れであって、小物入れ本体（２）の背面上部に設けたフックベルト（３）の着脱式バックル（４）（５）によって子守帯の腰ベルトへ吊り下げることができる。この結果、両手が塞がることがなく、また片手で簡便に携帯品の出し入れが可能となる。
【考案の効果】
【００１０】    以上のように、請求項１の本考案によれば、子守帯の使用時に腰ベルトに吊り下げることができるので両手が使えて便利であるという効果を奏する。【００１１】  また請求項２の本考案によれば、請求項１の考案に加えて両手を使用することなく片手で開閉できるという効果を奏する。
【図面の簡単な説明】
【００１２】
【図１】斜視図。
【図２】使用状態を示す側面図。
【符号の説明】
【００１３】  １  小物入れ
２  小物入れ本体
３  フックベルト
４  雄型バックル
５  雌型バックル
６  面ファスナー
７  面ファスナー
８  取っ手
【図１】
0003206348.tif 000003
【図２】
0003206348.tif 000004
【手続補正書】
【提出日】平成28年6月20日(2016.6.20)
【手続補正１】
【補正対象書類名】実用新案登録請求の範囲
【補正対象項目名】全文
【補正方法】変更
【補正の内容】
【実用新案登録請求の範囲】
【請求項１】
長さ調節可能なベルト状のフックベルト（３）の一側の先端に差し込み式の雄型バックル（４）を設け、フックベルト（３）の他側の先端に差し込み式の雌型バックル（５）を設けたことを特徴とする子守帯用吊り下げ小物入れ。
【請求項２】
小物入れ本体（２）の上端に開口部が形成され、この開口部を形成する一対の縁部にそれぞれ引き剥がし可能に付着できる面ファスナー（６）（７）を取りつけている、請求項１に記載の子守帯用吊り下げ小物入れ。
(57)【要約】      （修正有）【課題】粘着ローラー紙をその都度切り離したり、折り曲げたりする手間と労力を無くし、粘着ローラー紙を連続して使用でき、また使用済みの粘着ローラー紙も簡単に処分できる連続粘着ローラーＩ型を提供する。【解決手段】粘着紙を送り出しローラーと、巻き取りローラーとに配置し、送り出しローラーと巻き取りローラーを同回転方向に回転させる回転部材とを備え、回転部材は回転方向に対し同期が取れながら回転することを特徴とする。回転部材は送り出しローラーと巻き取りローラーに取り付けた２個の歯車をキャタピラー４で架け繋ぐことにより、同期回転することを特徴とする。【選択図】図３
0003206346.tif 000002
【実用新案登録請求の範囲】
【請求項１】
連続粘着ローラーＩ型は、ローラー紙を連続して使用できるようにしたもので、今迄その都度ローラー紙を切り離したり、折り曲げたりしなくてはならない手間を省くことにしたものであり、今迄のローラーを改良し、各部品を取り付けたもので下記のとおりとする。
ローラー本体の軸心は２本とし、１本はローラー紙取り付け棒、もう１本はローラー紙巻き取り棒とするもので、その軸心を差し込むプラ筒芯も、ローラー紙の取り付け用と巻き取り用の２本とする。
その２本のプラ筒芯の先端には歯車を付け、２本のプラ筒芯が同時回転するよう先端の２個の歯車にはキャタピラーを架け繋ぐ。
巻き取り用のプラ筒芯にはローラー紙の空芯を嵌めてから、最初のローラー紙の粘着面の部分と空芯の両端を揃えて貼り付けると、使用済みローラー紙は空芯に自然と巻かれてゆくようになり、使用後の終了時には、空芯ごと処分ができる連続粘着ローラーＩ型ある。
【考案の詳細な説明】
【技術分野】
【０００１】  本考案は、粘着ローラー紙をその都度切り取る事が無く、連続して使用が出来るようにしたものである。
【背景技術】
【０００２】  現在の粘着ローラーは、使用の際にその都度ローラー紙を切り取らなければならず、また次に使用するためにローラー紙の端を折り曲げる作業など、手間暇の掛かる負担があった。
【考案の概要】
【考案が解決しようとする課題】
【０００３】  粘着ローラー紙を、その都度切り取らなければ次のローラー作業が出来ないと言う手間と労力のかかる負担を解決しようとするものであり、また使用済みローラー紙も簡単に処分を出来るようにするためのものである。
【課題を解決するための手段】
【０００４】  現在のローラー器具の、ローラー紙取り付け棒と被せるプラ筒芯とを少し長くし、それに合わせたローラー紙の巻き取り棒と被せるプラ筒芯とをもう一つづつ作り、二つになったプラ筒芯の端には歯車を付け、その部分にはキャタピラーを架けて歯車２個を同時回転させる。【０００５】  巻き取り用のプラ筒芯には空筒芯を被せ、取り付け側にセットしたローラー紙の先端を前方下から後方上に引き伸ばし、粘着面を空筒芯に合わせ捲いて粘着させた。
【考案の効果】
【０００６】  上述のように、各部品を取り付けたことによりローラー紙を一度セットするだけで、ローラーをかけると往復もできることでローラー紙の進捗を自在に操作することができる。またその都度切り取ったり、折り曲げていた作業の負担も不要となり、使用後のローラー紙も空芯ごと処分できる。
【図面の簡単な説明】
【０００７】
【図１】本考案の連続粘着ローラーＩ型器本体の部品取付前の上面図。
【図２】本ローラーＩ型器の部品図。
【図３】本ローラーＩ型器の部品取付後の上面図。
【考案を実施するための形態】
【０００８】  連続粘着ローラーＩ型の軸心は、ローラー紙取り付け用と、ローラー紙巻と取り用の２本とし、少し長めにした、軸心を差し込むプラ筒芯も同じ長さの２本とし、そのプラ筒芯の長くした先端の部分を歯車にして、２個の歯車にキャタピラーを架け繋いだ。プラ筒芯２個の反対側には安定板を、軸心に差し込み、ローラー紙巻取り用のプラ筒芯には空芯をはめておき、その空芯に粘着ローラー紙の粘着面を巻いて貼り付ける。
【実施例】
【０００９】  以下、添付図面に従って一実施例を説明する。図１は連続粘着ローラーの本体であり、図２は部品図。図３は全体図の上面図である。１ａに２ａを差し込み、１ｂには２ｂを差し込む。２ａの３の部分と２ｂの３の歯車部分には最初から４のキャタピラーを取り付けておく。【００１０】  図３の２ａには６の粘着ローラー紙を被せ、２ｂには７の空芯を被せて６と７の右側の空洞には５の安定板の筒穴である５ａと５ｂの２箇所を、それぞれ１ａと１ｂの先端にはめこむ。【００１１】  図３の６は２ａの上にセットした粘着ローラー紙であり、それを前方下から剥がし伸ばして粘着面を７の空芯に両端を合わせて巻いて粘着させる。【００１２】  図３の７の空芯に巻き終えた使用済みの粘着ローラー紙は、右側５の安定板を外してから中の７の空芯ごと抜き取り、処分する。
【符号の説明】
【００１３】１    連続粘着ローラーＩ型本体
１ａ  本体軸心のローラー紙取り付け棒
１ｂ  本体軸心のローラー紙巻き取り棒
２ａ  １ａを差し込むプラ筒芯
２ｂ  １ｂを差し込むプラ筒芯
３    ２ａと２ｂの歯車部分
４    キャタピラー
５    安定板
５ａ  安定板の筒穴
５ｂ  安定板の筒穴
６    粘着ローラー紙
７    粘着ローラー紙の中の空芯
【図１】
0003206346.tif 000003
【図２】
0003206346.tif 000004
【図３】
0003206346.tif 000005
【手続補正書】
【提出日】平成28年6月14日(2016.6.14)
【手続補正１】
【補正対象書類名】実用新案登録請求の範囲
【補正対象項目名】請求項１
【補正方法】変更
【補正の内容】
【請求項１】
連続粘着ローラーＩ型において、
（１）粘着紙を送り出しローラーと、巻き取りローラーとに配置し、前記送り出しローラーと前記巻き取りローラーを同回転方向に回転させる回転部材とを備え、前記回転部材は回転方向に対し同期が取れながら回転することを特徴とし、
（２）前記回転部材は前記送り出しローラーと巻き取りローラーに取り付けた２個の歯車をキャタピラーで架け繋ぐことにより、同期回転することを特徴とした、
以上の（１）〜（２）の構成からなる連続粘着ローラーＩ型。
(57)【要約】      （修正有）【課題】肌に直接貼ることなく、磁気によって患部の血行改善に働きかける磁気治療器を提供する。【解決手段】伸縮可能で、柔軟性と透湿性を持つ基体３の上側表面に粘着材２を塗り、さらに粘着材の上に使用時に剥がす剥離層１を作成し、基体の下側には、片側に粘着材４を塗った磁石５を貼りつけ、磁石部分で５層、その他の部分では３層からなる構造体を作成する。この構造体を血行の改善をはかりたい患部近傍に置かれた下着に粘着材２で貼りつけ使用する。【選択図】図１
0003206378.tif 000002
【実用新案登録請求の範囲】
【請求項１】
２センチ四方位の面積で伸縮可能で、柔軟性と透湿性を持つ基体上側表面に使用時、下着等に貼るための粘着材を塗り、さらに前記粘着材の上に使用する時剥がす剥離層を作成し、基体の下側には、前記基体の下側に貼りつけるため片側に粘着材を塗った丸い平らな基体よりも小さな磁石を貼りつけたもので、磁石部分で５層、その他の部分では３層からなる構造体であることを特徴とする下着に貼る磁気治療器。
【考案の詳細な説明】
【技術分野】
【０００１】本考案は、磁気の力で血行を改善する磁気治療器に関するものである。
【背景技術】
【０００２】従来の磁気治療器の貼るタイプは、凝っている患部近傍の肌に貼って、患部の血行の改善を促し凝りをほぐす治療に広く利用されている。
【考案の概要】
【考案が解決しようとする課題】
【０００３】磁気治療器を肌に直接貼らずに、磁気によって患部の血行改善に働きかける製品の提供をする。
【課題を解決するための手段】
【０００４】本考案は、磁気を持つ磁石を透湿性のある、柔軟性を持った不織布でできている基体の下側に貼りつけ、基体の上側に粘着材を塗り、粘着材の付いた側を下着や、スカ−フ、腹巻、包帯等に貼りつけ患部の血行改善に働き掛けたい部分に当たるように装着する。
【考案の効果】
【０００５】従来の磁気治療器は、背中や肩の後等手の届きにくいところに自分一人で貼るのは困難であったが、あらかじめ患部の近傍の下着に貼っておけば、簡単に患部近傍に磁気の力を及ぼすことができる。【０００６】従来は肌に直接貼っていたので、肌が弱いアレルギ−の人等は被れる恐れがあったが、粘着材による被れを防ぐことができる。【０００７】首等見える場所に貼らず、スカ−フ、衿巻き等に貼って治療できる。
【図面の簡単な説明】
【０００８】
【図１】下着に貼る磁気治療器の側断面図
【図２】図１に示す下着に貼る磁気治療器の貼りつけ作業完了時を示す側断面図
【考案を実施するための形態】
【０００９】肌に貼るタイプの磁気治療器とほぼ同じ大きさの、透湿性のある、伸縮可能な柔軟性をもった不織布からなる基体層の上側表面に粘着剤を塗り、さらに粘着材の上に貼りつける時に剥がす剥離層を有し、不織布からなる基体層の下側に片側に、粘着材を塗った肌を傷付けないように丸い平らな基体よりも小さな磁石を貼りつけたもので、磁石部分で５層その他の部分で３層からなる構造体である。また、磁が落ちないように、ラップ状のシ−トで覆うことも考えられる。さらに消炎鎮痛効果のある薬剤に替えた構造体にすることも可能である。その場合、その薬剤の下側に使用時に剥離する下側剥離層を有し全部で６層になる。
【実施例】
【００１０】以下添付図に従って、一実施例を説明する。［図１］の１は、下着に貼る磁気治療器を下着等に貼る時に剥がす剥離層であり、２は粘着層材、３は透湿性のある、伸縮可能な柔軟性を持った不織布等の基体層であり、４は磁石を貼りつけるための粘着材層である。５は磁石である。【００１１】［図２］は［図１］１の剥離層を剥がし下着に貼る磁気治療器を患部近傍の下着に貼った状態の側断面図である。
【符号の説明】
【００１２】１剥離層
２粘着材層
３基体層
４粘着剤層
５磁石
６下着
７肌
【図１】
0003206378.tif 000003
【図２】
0003206378.tif 000004
(57)【要約】      （修正有）【課題】小動物（ねこ等）の排泄介助が容易にできる排泄物介助治具を提供する。【解決手段】棒の先端に綿を巻付ける。本治具で、小動物の腹をさすることで、排泄に役立つ。【選択図】図２
0003206371.tif 000002
【実用新案登録請求の範囲】
【請求項１】
棒の先端に綿を円錐状に巻付けた、ことを特徴とする排泄物介助治具。
【考案の詳細な説明】
【技術分野】
【０００１】  本考案は、小動物の排泄介助に関するものである。
【背景技術】
【０００２】  小動物（ねこ等）は、子供の頃は自力で排泄ができにく介助が必要であるので介助具を要する。
【考案の開示】
【考案が解決しようとする課題】
【０００３】  小動物（ねこ等）は、子供の頃は自力で排泄ができにくいため介助具が必要であったが、介助具は殆ど無かった。
【課題を解決するための手段】
【０００４】  本考案は、棒の先に綿を巻きつけそれで、腹部をさすることで問題点を解決している。
【考案の効果】
【０００５】  上途の様に、考案の考案の排泄物介助治具を用いること小動物（ねこ等）排泄にに役立っている。
【考案を実施するための最良の形態】
【０００６】  棒に綿を巻きつけ円錐状にすることで腹部をさすりやすくする。
【実施例】
【０００７】  以下、添付図面に従って実施例を説明する。１は、棒で、２の綿を巻きつけ円錐状にし、３の様にお腹をさすると排泄する。【０００８】  本考案の実施例は上途の如き構成からなるものであり、図３に示すように小動物（ねこ等）の排泄の補助に用いる。
【図面の簡単な説明】
【０００９】
【図１】正面図
【図２】側面図
【図３】実施例図
【符号の説明】
【００１０】１  棒
２  綿
３  実施の様子
【図１】
0003206371.tif 000003
【図２】
0003206371.tif 000004
【図３】
0003206371.tif 000005
(57)【要約】      （修正有）【課題】床面清掃用のワイパーシートには床面清掃に使われない部分が相当の面積を占めているためこれを解決する掃除具を提供する。【解決手段】ワイパーシートを用いる掃除具において、着脱用基盤１の長辺側側面の片側にワイパーシート固定用の切れ込み２を設ける。さらにワイパーシート着脱用基盤１の短辺側面と掃除具の把手部４を、回転式のジョイント３で接続する。【選択図】図１
0003206377.tif 000002
【実用新案登録請求の範囲】
【請求項１】
着脱用基盤の長辺側側面の片側にワイパーシート固定用の切れ込みを有し、ワイパーシート着脱用基盤の短辺側面と掃除具の把手部が、回転式のジョイントで接続されている掃除具。
【考案の詳細な説明】
【技術分野】
【０００１】  本実用新案はフローリングワイパーに関するものである。
【背景技術】
【０００２】  床面清掃用のシート状ワイパーは、専用の掃除具に固定して使用されるが、通常は、掃除具のシート着脱用基盤の上面に固定用の切れ込みを有し、これにシートの端部を差し込むことでシートを固定している。しかし、この方法では、床面清掃に使われないシート部分が相当の面積を占めるという問題があった。
【先行技術文献】
【特許文献】
【０００３】
【特許文献１】特開２００５−２４５６４６
【特許文献２】特開２００５−５８６７８
【考案の概要】
【考案が解決しようとする課題】
【０００４】  ワイパーシートの床面清掃に使われない部分を少なくすることである。
【課題を解決するための手段】
【０００５】  本実用新案は、ワイパーシート着脱用基盤の長辺側面の片側にワイパーシート固定用の切り込みを設け、ワイパーシート着脱用基盤の上面と底面を同様の構造とし、さらに把手部とワイパーシート着脱用基盤をワイパーシート着脱用基盤側面に設けた回転式のジョイントで接続することにより、床面清掃に使われない部分を少なくするものである。【０００６】  回転式ジョイントにより、容易にワイパーシート着脱用基盤を回転させることができ、ワイパーシート着脱用基盤上面側のワイパーシート部分を床面清掃に使用することが出来る。【０００７】  ワイパーシート着脱用基盤の短辺側面と把手部が接続されているため、ワイパーシート固定用切込みから、ワイパーシートの片側の辺を取り外して、ワイパーシートのもう一方の片側をワイパーシート固定用切り込みに固定したままワイパーシートを裏返すことが出来るため、ワイパーシートの表面だけでなく裏面も容易に床面清掃に使うことが出来る。
【図面の簡単な説明】
【０００８】
【図１】フローリングワイパー掃除具概観図
【図２】ワイパーシートを装着したフローリングワイパー掃除具概観図
【図３】ワイパーシートを裏返す手順
【符号の説明】
【０００９】    １・・・・・・ワイパーシート着脱用基盤
２・・・・・・ワイパーシート固定用切れ込み
３・・・・・・回転式ジョイント
４・・・・・・把手部
５・・・・・・把手部中の可動部
６・・・・・・ワイパーシート
【図１】
0003206377.tif 000003
【図２】
0003206377.tif 000004
【図３】
0003206377.tif 000005
(57)【要約】      （修正有）【課題】蚊の発生する場所と考えられる、墓の花瓶の水溜りを減らす事ができ、そして、墓参りの時は、生花を挿すことができる墓の花瓶蓋を提供する。【解決手段】装飾が施され、花瓶又は、中蓋１に固定出来る上蓋と、中蓋１は、表面に穴２が有り、穴２がその内側に弁を付けているか又は、筒状で、内側に針状の突起物が有り、花瓶に固定出来る。【選択図】図１
0003206351.tif 000002
【実用新案登録請求の範囲】
【請求項１】
墓の花瓶の蓋である。恒久的に固定された飾り付きの蓋ではなく、装飾の付いた上蓋を外せば、生花を挿す事ができる。そして、弁又は、針状の突起物により、蚊の侵入を防ぐことが出来る事を特徴とする墓の花瓶蓋である。
【考案の詳細な説明】
【技術分野】
【０００１】  本考案は、墓の花瓶に蓋をする事により蚊の侵入を防ぎ、花の無い時は、装飾品として見られる事を目的としたものである。
【背景技術】
【０００２】  近年では、テング熱、ジカ熱等、蚊を媒介とする病気の発生が増えています。墓場では、蚊が多いのは、経験から知られている事です。花瓶が水溜りで、発生源となる可能性があるが、取り払う事は出来ない。
【考案の概要】
【考案が解決しようとする課題】
【０００３】  生花を生ける事ができ、且つ，蚊の侵入を防ぐことが出来るようにする事。長期間墓参りが出来ない場合は、外蓋を付けて装飾品となり、見栄えを良く出来る事。
【課題を解決するための手段】
【０００４】  中蓋は、生花が挿せること。蓋に何か所かの茎用の穴を開ける。ゴムの弁のある穴でも良いが、隙間が空くのは避けられない。そこで、歯ブラシの毛の様な突起を内側に附けそれを茎に巻き穴に固定するようにする。外蓋は、装飾品を附け、花瓶全体が、飾りと見える様にする。
【考案の効果】
【０００５】  蚊は、少しの水溜りでも発生すると聞きます。蚊の発生の数に関しては分からないが、卵を生む事の出来る小さな水溜りを減らせることが出来る。単なる蓋では、見栄えが悪い。生花を生けることが出来、外蓋に装飾を附ける事により、花瓶全体が装飾品とする事ができる。
【図面の簡単な説明】
【０００６】
【図１】  本考案の実施例を示す１例図です。
【図２】  上蓋．
【図３】  生花に巻いて、１の中蓋に挿す物．
【考案を実施するための形態】
【０００７】  湯飲み茶椀の蓋と同じであり、バンドなどで花瓶に固定出来る様になっているところが違う。そして、常に生花が添えられるわけではない。枯れた場合には、そのままでも穴を塞いでいる。長期間使用しない場合は、菊や蓮の絵を描くか、又は、立体的な飾りを附けた蓋を被せることにより、空っぽの花瓶より、見栄えが良くなる。
【実施例】
【０００８】  以下、添付図面に従って一例を説明する。１が生花を挿すための蓋である。弁と針状様の蚊の侵入遮蔽物では、穴の構造が異なる。真ん中の穴は飾りのついた上蓋を固定出来る様に造る。６は、弁でない場合の茎の固定具で、針状で、長さは２〜３種類とする。４、５は、飾りのある上蓋である。１の蓋に固定する。
【符号の説明】
【０００９】１  蚊の侵入を防ぎ、生花を挿すための蓋。
２  生花を挿す穴。
３  生花兼上蓋を固定出来る穴。
４  花を描いた上蓋。
５  立体的な花の飾りを附けた上蓋。
６  弁でない場合の茎の固定具。
７  盗難防止の為の、家名、霊園名、シリアルナンバー、販売店名など。
【図１】
0003206351.tif 000003
【図２】
0003206351.tif 000004
【図３】
0003206351.tif 000005
【手続補正書】
【提出日】平成28年6月27日(2016.6.27)
【手続補正１】
【補正対象書類名】実用新案登録請求の範囲
【補正対象項目名】全文
【補正方法】変更
【補正の内容】
【実用新案登録請求の範囲】
【請求項１】
墓の花瓶蓋であって、装飾が施され、花瓶又は、中蓋に固定出来る上蓋と、中蓋は、表面に穴が有り、前記穴がその内側に弁を付けているか又は、筒状で、内側に針状の突起物が有り、花瓶に固定出来る事を特徴とする墓の花瓶蓋である。